(57)【要約】【課題】キレート剤を含む洗浄水で汚染土壌を浄化しつつ分級する土壌浄化システムに対して、細粒土等に随伴するキレート剤を回収することができ、かつキレート剤回収設備の敷地面積を低減することを可能にする手段を提供する。【解決手段】土壌浄化システム１は、土壌洗浄分級部２と、キレート剤再生部３と、キレート剤回収部４と、すすぎ水生成部５と、洗浄水生成部と、洗浄水供給部とを備えている。キレート剤回収部４は、土壌洗浄分級部２から排出された細粒土等をすすぎ水で洗浄することにより、細粒土等に付着しているキレート剤を除去する。すすぎ水生成部５は、キレート剤再生部３から排出された洗浄水からキレート剤を除去することによりすすぎ水を生成してキレート剤回収部４に供給する。すすぎ水生成部５は、洗浄水を逆浸透膜により透過水と濃縮水とに分離する逆浸透膜分離装置を有する。【選択図】図１
2019103996.tif 000002
【特許請求の範囲】
【請求項１】
礫と砂と細粒土とを含みかつ有害金属又はその化合物で汚染された土壌を、キレート剤を含む洗浄水で洗浄して浄化するとともに、礫と砂と細粒土とに分級する土壌洗浄分級部と、
前記土壌洗浄分級部から排出された洗浄水中の有害金属又はその化合物を捕捉しているキレート剤から有害金属又はその化合物を除去してキレート剤を再生するキレート剤再生部と、
前記土壌洗浄分級部から排出された細粒土をすすぎ水で洗浄することにより、細粒土に付着しているキレート剤を回収するキレート剤回収部と、
前記キレート剤再生部から排出された洗浄水を逆浸透膜により、キレート剤が濃縮された濃縮水とキレート剤を含まない透過水とに分離する逆浸透膜分離装置を有し、透過水をすすぎ水として前記キレート剤回収部に供給するすすぎ水生成部と、
前記キレート剤回収部において細粒土の洗浄により生じた洗浄廃水と、前記すすぎ水生成部から排出された濃縮水とを混合して洗浄水を生成する洗浄水生成部と、
前記洗浄水生成部によって生成された洗浄水を前記土壌洗浄分級部に供給する洗浄水供給部とを備えていることを特徴とする土壌浄化システム。
【請求項２】
前記洗浄水生成部は、前記キレート剤回収部から排出された洗浄廃水と、前記すすぎ水生成部から排出された濃縮水とを混合して洗浄水を生成する混合槽を有し、
前記洗浄水供給部は、前記混合槽内の洗浄水を前記土壌洗浄分級部に供給するポンプ及び管路を有することを特徴とする、請求項１に記載の土壌浄化システム。
【請求項３】
前記土壌洗浄分級部は、
礫と砂と細粒土とを含む土壌と洗浄水とを混合して攪拌し、土壌に付着している有害金属又はその化合物を該土壌から離脱させてキレート剤に捕捉させる混合装置と、
前記混合装置から排出された土壌と洗浄水とを含む混合物を受け入れ、該混合物から礫を分離する第１分級装置と、
前記第１分級装置から排出された砂と細粒土と洗浄水とを含む混合物を受け入れ、該混合物から砂を分離する第２分級装置と、
前記第２分級装置から排出された細粒土と洗浄水とを含む混合物を、沈降分離により、上澄水と、細粒土を含むスラッジとに分離する沈降分離装置と、
前記沈降分離装置から排出されたスラッジを濾過する濾過装置とを有し、
前記キレート剤再生部は、キレート剤よりも錯生成力が高く前記沈降分離装置から排出された上澄水と接触したときに該上澄水中の有害金属又はその化合物を吸着する固相吸着材を有し、該上澄水中のキレート剤から有害金属又はその化合物を除去して該キレート剤を再生するキレート剤再生装置を有し、
前記キレート剤回収部は、前記濾過装置から排出された細粒土を含む濾過ケークにすすぎ水を散布又は噴射して、細粒土に保持されているキレート剤を洗い流す細粒土すすぎ装置を有することを特徴とする、請求項１又は２に記載の土壌浄化システム。
【発明の詳細な説明】
【技術分野】
【０００１】  本発明は、礫と砂と細粒土とを含み、かつ有害金属又はその化合物で汚染された土壌を、キレート剤を含む洗浄水で洗浄して浄化するとともに、礫と砂と細粒土とに分級する土壌浄化システムに関するものである。
【背景技術】
【０００２】  近年、例えばクロム、鉛、カドミウム、セレン、水銀などの有害金属及び／又はその化合物（以下、これらを「有害金属等」と総称する。）を原料又は材料として用いる生産施設の敷地又はその近隣地における土壌汚染、あるいは有害金属等を含む産業廃棄物の不法投棄等による土壌汚染が問題となっている。そして、有害金属等で汚染された土壌（以下「有害金属汚染土壌」という。）を、該有害金属汚染土壌が現に存在する位置（以下「原位置」という。）で、例えば有害金属等の不溶化、封じ込め又は電気修復などにより効果的に浄化することはかなり困難である。このため、有害金属汚染土壌は、一般に、掘削により原位置から除去され、外部の土壌浄化施設で浄化される。【０００３】  このような原位置外の土壌浄化施設で有害金属汚染土壌を浄化する手法としては、従来、有害金属汚染土壌を洗浄水ないしは洗浄液で洗浄して有害金属等を除去する洗浄法が広く用いられている。かくして、本願出願人は、有害金属等で汚染された土壌を、キレート剤を含有する洗浄水で洗浄して有害金属等を除去する一方、洗浄後の洗浄水から固相吸着材で有害金属等を除去することにより洗浄水ないしはキレート剤を再生して繰り返し使用する、洗浄水を施設外に排出しないクローズドシステム型の土壌浄化施設を種々提案している（例えば、特許文献１〜５参照）。
【先行技術文献】
【特許文献】
【０００４】
【特許文献１】特許第５７３６０９４号公報
【特許文献２】特許第５７７１３４２号公報
【特許文献３】特許第５７７１３４３号公報
【特許文献４】特許第６０２２１０３号公報
【特許文献５】特許第６０２６７０２号公報
【発明の概要】
【発明が解決しようとする課題】
【０００５】  ところで、本願出願人に係る特許文献１〜３に開示された土壌浄化施設では、有害金属等で汚染された土壌とキレート剤を含む洗浄水とを混合して攪拌し、該土壌に付着している有害金属等を該土壌から離脱させてキレート剤に捕捉させるとともに、該土壌を分級して細粒土等を生成し、例えば農業用の土として再利用するようにしている。【０００６】  このように生成された細粒土にはキレート剤を含む洗浄水が付着しているが、キレート剤を含む細粒土は農業用の土としては好ましくない。また、土壌浄化施設内のキレート剤は、細粒土によって持ち去られる分だけ減少してゆく。したがって、キレート剤を再生しつつ繰り返し使用しても、細粒土によって持ち去られるキレート剤に相応する量のキレート剤を補充する必要がある。このため、大量の汚染土壌（例えば、１０００トン／日）を浄化する土壌浄化施設では、常時かなりの量のキレート剤を補充し続けなければならず、土壌の処理コストが高くつくといった問題がある。【０００７】  そこで、本願出願人に係る特許文献４〜５に開示された土壌浄化施設では、フィルタプレスから排出された、キレート剤を含む洗浄液が付着した細粒土（濾過ケーク）を、すすぎ水で洗浄して細粒土からキレート剤を除去するようにしている。そして、キレート剤を含む洗浄廃水を、砂収容部内の蒸発用砂により大気中に蒸発させてキレート剤を蒸発用砂に残留・蓄積させ、キレート剤を含む蒸発用砂を土壌処理系統に導入してキレート剤を回収するようにしている（いわゆる塩田方式）。しかし、キレート剤を含む洗浄液が付着した細粒土を洗浄するのに大量のすすぎ水を必要とするので、大量に発生する洗浄廃水を蒸発させるために非常に広い面積の砂収容部を必要とする。このため、キレート剤の回収設備の設置に広大な敷地を必要とするといった問題がある。【０００８】  本発明は、上記従来の問題を解決するためになされたものであって、有害金属等で汚染された土壌を、循環するキレート剤を含む洗浄水で浄化する一方、該土壌から細粒土等を分離して再利用するようにしたクローズドシステム型の土壌浄化施設に対して、細粒土によってキレート剤が外部に持ち去られるのを防止することができ、かつキレート剤回収のための設備の敷地面積を大幅に低減することを可能にする手段を提供することを解決すべき課題とする。
【課題を解決するための手段】
【０００９】  前記課題を解決するためになされた本発明に係る土壌浄化システムは、土壌洗浄分級部と、キレート剤再生部と、キレート剤回収部と、すすぎ水生成部と、洗浄水生成部と、洗浄水供給部とを備えている。ここで、土壌洗浄分級部は、礫と砂と細粒土とを含みかつ有害金属等（有害金属及び／又はその化合物）ないしはこれらのイオンで汚染された土壌を、キレート剤を含む洗浄水で洗浄して浄化するとともに、礫と砂と細粒土とに分級する。【００１０】  キレート剤再生部は、土壌洗浄分級部から排出された洗浄水中の有害金属等を捕捉しているキレート剤から有害金属等を除去してキレート剤を再生する。キレート剤回収部は、土壌洗浄分級部から排出された細粒土をすすぎ水で洗浄することにより、細粒土に付着しているキレート剤を回収（除去）する。すすぎ水生成部は、キレート剤再生部から排出された洗浄水を逆浸透膜によりキレート剤が濃縮された濃縮水とキレート剤を含まない透過水とに分離する逆浸透膜分離装置を有し、透過水をすすぎ水としてキレート剤回収部に供給する。洗浄水生成部は、キレート剤回収部において細粒土の洗浄により生じた洗浄廃水と、すすぎ水生成部から排出された濃縮水とを混合して洗浄水を生成する。洗浄水供給部は、洗浄水生成部によって生成された洗浄水を土壌洗浄分級部に供給（返送）する。【００１１】  本発明に係る土壌浄化システムにおいて、洗浄水生成部は、キレート剤回収部から排出された洗浄廃水と、すすぎ水生成部から排出された濃縮水とを混合して洗浄水を生成する混合槽を有しているのが好ましい。また、洗浄水供給部は、混合槽内の洗浄水を土壌洗浄分級部に供給（返送）するポンプ及び管路を有しているのが好ましい。【００１２】  本発明に係る土壌浄化システムにおいて、土壌洗浄分級部は、混合装置と、第１分級装置と、第２分級装置と、沈降分離装置と、濾過装置とを有しているのが好ましい。この場合、混合装置は、礫と砂と細粒土とを含む土壌と洗浄水とを混合して攪拌し、土壌に付着している有害金属等を土壌から離脱させてキレート剤に捕捉させる。第１分級装置は、混合装置から排出された土壌と洗浄水とを含む混合物を受け入れ、該混合物から礫を分離する。第２分級装置は、第１分級装置から排出された砂と細粒土と洗浄水とを含む混合物を受け入れ、該混合物から砂を分離する。沈降分離装置は、第２分級装置から排出された細粒土と洗浄水とを含む混合物を、沈降分離により、上澄水と、細粒土を含むスラッジとに分離する。濾過装置は、沈降分離装置から排出されたスラッジを濾過して濾過ケークと濾液を生成する。【００１３】  キレート剤再生部は、キレート剤よりも錯生成力が高く沈降分離装置から排出された上澄水と接触したときに該上澄水中の有害金属等ないしはこれらのイオンを吸着する固相吸着材を有し、上澄水中のキレート剤から有害金属等ないしはこれらのイオンを除去して該キレート剤を再生するキレート剤再生装置を有しているのが好ましい。また、キレート剤回収部は、濾過装置から排出された細粒土を含む濾過ケークにすすぎ水を散布又は噴射して、細粒土に保持されているキレート剤を洗い流す細粒土すすぎ装置を有しているのが好ましい。
【発明の効果】
【００１４】  本発明に係る土壌浄化システムによれば、土壌洗浄分級部から排出された細粒土は、キレート剤回収部で、逆浸透膜分離装置によって分離された透過水（すすぎ水）で洗浄され、細粒土に付着しているキレート剤が除去される。したがって、キレート剤を含まない高品質の細粒土を得ることができる。そして、キレート剤回収部において細粒土の洗浄により生じたキレート剤を含む洗浄廃水は、逆浸透膜分離装置から排出された濃縮水と混合され、洗浄水として土壌洗浄分級部に返送されるので、土壌浄化システム外には排出されない。したがって、キレート剤のシステム外への逸失が確実に防止される。【００１５】  一方、逆浸透膜分離装置の設置面積は非常に小さい。また、キレート剤回収部で発生する洗浄廃水を濃縮水と混合し洗浄水として土壌洗浄分級部に返送する洗浄水生成部及び洗浄水供給部は、例えば単純な貯水槽、ポンプ及び管路等で構成することができる設置面積が非常に小さいものである。したがって、キレート剤の回収設備の設置にさほど広い敷地を必要としない。よって、細粒土によりキレート剤が土壌浄化システム外に持ち去られるのを防止することができ、かつキレート剤回収のための設備の敷地面積を非常に小さくすることができる。
【図面の簡単な説明】
【００１６】
【図１】本発明に係る土壌浄化システムの構成を示すブロック図である。
【図２】図１に示す土壌浄化システムの構成要素である土壌洗浄分級部の構成を示すブロック図である。
【図３】図１に示す土壌浄化システムの構成要素であるキレート剤再生部の構成を示す模式的な立面図である。
【図４】キレート剤回収部の構成要素である礫すすぎ装置の模式的な側面図である。
【図５】キレート剤回収部の構成要素である砂すすぎ装置の模式的な側面図である。
【図６】キレート剤回収部の構成要素である細粒土すすぎ装置の模式的な側面図である。
【図７】図１に示す土壌浄化システムのすすぎ水生成部及びそのまわりの装置の模式的な立面図である。
【図８】土壌浄化システムの要所における土壌、水及びキレート剤の流量の一例を示す図である。
【図９】キレート剤回収部及びすすぎ水生成部の要所における土壌、水及びキレート剤の流量並びにキレート剤濃度の一例を示す図である。
【発明を実施するための形態】
【００１７】  以下、添付の図面を参照しつつ本発明の実施形態を具体的に説明する。
まず、図１を参照しつつ、本発明に係る土壌浄化システム１の全体構成を説明する。土壌浄化システム１は、土壌洗浄分級部２と、キレート剤再生部３と、キレート剤回収部４と、すすぎ水生成部５と、キレート剤補充部６とを備えている。なお、図１中にはその詳細は示されていないが、土壌浄化システム１は、さらに洗浄水生成部及び洗浄水供給部を備えている。
【００１８】  土壌洗浄分級部２は、礫と砂と細粒土とを含みかつ有害金属等（有害金属及び／又はその化合物）ないしはこれらのイオンで汚染された土壌を、キレート剤を含む洗浄水で洗浄して浄化するとともに、礫と砂と細粒土とに分級する。キレート剤再生部３は、土壌洗浄分級部２から排出された洗浄水中の有害金属等を捕捉しているキレート剤から有害金属等を除去してキレート剤を再生する。キレート剤回収部４は、土壌洗浄分級部２から排出された礫、砂及び／又は細粒土をすすぎ水で洗浄することにより、礫、砂及び／又は細粒土に付着しているキレート剤を回収（除去）する。すすぎ水生成部５は、キレート剤再生部３から排出された洗浄水を逆浸透膜によりキレート剤が濃縮された濃縮水とキレート剤を含まない透過水とに分離する逆浸透膜分離装置１１０（図７参照）を有し、透過水をすすぎ水としてキレート剤回収部４に供給する。キレート剤補充部６は、キレート剤が目減りしたときには、目減り分のキレート剤を、土壌洗浄分級部２に供給（返送）される洗浄水に補充・供給し、洗浄水のキレート剤濃度を予め設定された値に維持する。
【００１９】  より詳しく説明すれば、土壌洗浄分級部２は、混合装置１１と、第１分級装置１２と、第２分級装置１３と、沈降分離装置１４と、濾過装置１５とを有する。ここで、混合装置１１は、礫と砂と細粒土とを含む土壌と、洗浄水とを混合して攪拌し、土壌に付着している有害金属等を該土壌から離脱させてキレート剤に捕捉させる。第１分級装置１２は、混合装置１１から排出された土壌と洗浄水の混合物を受け入れ、該混合物から礫を分離する。第２分級装置１３は、第１分級装置１２から排出された砂と細粒土と洗浄水の混合物を受け入れ、該混合物から砂を分離する。沈降分離装置１４は、第２分級装置１３から排出された細粒土を含む洗浄水を、沈降分離により、上澄水と、細粒土を含むスラッジとに分離する。濾過装置１５は、沈降分離装置１４から排出されたスラッジを濾過して濾過ケークと濾液を生成する（細粒土を分離する）。
【００２０】  キレート剤再生部３は、キレート剤より錯生成力が高く沈降分離装置１４から排出された上澄水と接触したときに該上澄水中の有害金属等を吸着する固相吸着材を有し、上澄水中のキレート剤から有害金属等を除去して該上澄水を洗浄水として再生するキレート剤再生装置４１（図３参照）を備えている。固相吸着材は、担体に環状分子を担持させ、該環状分子にキレート配位子を修飾した配位結合及び水素結合による多点相互作用を有するとともに有害金属等ないしはこれらのイオンを選択的に取り込むものである。なお、固相吸着材に吸着された有害金属等ないしはこれらのイオンは、酸液（例えば、希硝酸、希硫酸）により除去することができるので、固相吸着材を再生して再使用し、あるいは繰り返し使用するのは容易である。
【００２１】  キレート剤回収部４は、第１分級装置１２で分離された礫にすすぎ水を散布又は噴射して該礫に保持されているキレート剤を除去（回収）する礫すすぎ装置１６と、第２分級装置１３で分離された砂にすすぎ水を散布又は噴射して該砂に保持されているキレート剤を除去（回収）する砂すすぎ装置１７と、濾過装置１５で分離された細粒土（濾過ケーク）を解砕した上でこれにすすぎ水を散布又は噴射して該細粒土に保持されているキレート剤を除去（回収）する細粒土すすぎ装置１８とを備えている。
【００２２】  土壌浄化システム１において、すすぎ水生成部５は、後で説明するように逆浸透膜分離装置１１０（図７参照）を有する。そして、すすぎ水生成部５は、逆浸透膜分離装置１１０の透過水をすすぎ水としてキレート剤回収部４に供給する。さらに、土壌浄化システム１は、キレート剤回収部４において礫、砂及び／又は細粒土の洗浄により生じた洗浄廃水と、すすぎ水生成部５（逆浸透膜分離装置１１０）から排出された濃縮水とを混合して洗浄水を生成する洗浄水生成部（混合槽１１１等）と、該洗浄水生成部によって生成された洗浄水を土壌洗浄分級部２に供給（返送）する洗浄水供給部（ポンプ１１２及び管路１１３等）とを備えている（図７参照）。
【００２３】  以下、図２を参照しつつ、土壌洗浄分級部２の具体的な構成及びその機能を説明する。土壌洗浄分級部２においては、有害金属等（有害金属及び／又はその化合物）ないしはこれらのイオンで汚染された地盤の掘削等により採取された土壌（汚染土壌）が、投入ホッパ２１に受け入れられる。そして、投入ホッパ２１内の土壌は混合器２２に導入され、混合器２２内でキレート剤を含む洗浄水と混合される。ここで、土壌は、礫と砂と細粒土（例えば、粒径が０．０７５ｍｍ以下のシルト又は粘土）とを含むものである。混合器２２内では、土壌に付着している有害金属等ないしはこれらのイオンが該土壌から離脱させられ、キレート剤によって捕捉される。
【００２４】  混合器２２で生成された土壌と洗浄水の混合物（以下「土壌・洗浄水混合物」という。）は湿式のミルブレーカ２３に移送される。ミルブレーカ２３としては、例えばロッドミルを用いることができる。ミルブレーカ２３は、礫あるいは砂に衝撃力、剪断力、摩擦力等を加える。その際、礫あるいは砂に付着し又は含まれている有害金属等は剥離又は除去され、洗浄水中に離脱する。土壌の表面から離脱した有害金属等ないしはこれらのイオンは、洗浄水中のキレート剤によって捕捉される。なお、混合器２２及びミルブレーカ２３は、図１中の混合装置１１に相当する。
【００２５】  キレート剤としては、例えば、ＥＤＴＡ（エチレンジアミン四酢酸）、ＨＩＤＳ（３−ヒドロキシ−２，２’−イミノジコハク酸）、ＩＤＳ（２，２’−イミノジコハク酸）、ＭＧＤＡ（メチルグリシン二酢酸）、ＥＤＤＳ（エチレンジアミンジ酢酸）又はＧＬＤＡ（Ｌ−グルタミン酸ジ酢酸）のナトリウム塩などを用いることができる。キレート剤は、土壌に付着している有害金属等ないしはこれらのイオンを捕捉する（キレートする）。土壌を処理する際には、土壌に含まれる有害金属等の種類に応じて、該処理に適したキレート剤が選択される。洗浄水中のキレート剤の濃度は、高ければ高いほど有害金属等ないしはこれらのイオンの捕捉量が増えるが、実用上は０．００５〜０．１モル／リットルの範囲、好ましくは０．０１〜０．０５モル／リットルの範囲に設定される。
【００２６】  ミルブレーカ２３から排出された土壌・洗浄水混合物はトロンメル２４に導入される。詳しくは図示していないが、トロンメル２４は、洗浄水を貯留することができる受槽と、水平面に対して傾斜して配置された略円筒形のドラムスクリーンとを有する湿式の篩分装置であって、ドラムスクリーンは、モータによりその中心軸まわりに回転することができる。また、ドラムスクリーン内に、洗浄水をスプレー状で噴射することができる。なお、トロンメル２４は、図１中の第１分級装置１２に相当する。
【００２７】  トロンメル２４の回転しているドラムスクリーンの内部を土壌・洗浄水混合物が流れる際に、ドラムスクリーンの網目より細かい土壌粒子は、洗浄水とともにドラムスクリーンの網目を通り抜け、ドラムスクリーン外に出て受槽内に入る。他方、ドラムスクリーンの網目より粗い土壌粒子は、ドラムスクリーンの下側の開口端を経由して、ドラムスクリーン外に排出される。トロンメル２４内では、土壌・洗浄水混合物中の土壌粒子同士が互いに擦れ合うので、土壌粒子の表面に残留・付着している有害金属等が剥離され、洗浄水中に離脱させられる。洗浄水中に離脱した有害金属等ないしはこれらのイオンは、洗浄水中のキレート剤によって捕捉される。
【００２８】  この実施形態では、トロンメル２４のドラムスクリーンの網目の分級径（目開き）は、粒径が２ｍｍ未満の土壌粒子がドラムスクリーンの網目を通り抜けるように設定されている。したがって、このトロンメル１４では、粒径が２ｍｍ以上の土壌粒子すなわち礫が土壌・洗浄水混合物から分離ないしは回収される。トロンメル２４で分離された礫は礫すすぎ装置１６（図１、図４参照）に移送される。なお、トロンメル２４のドラムスクリーンの網目の寸法（目開き）は前記のものに限定されるわけではなく、得ようとする比較的粒径が大きい土壌粒子の粒径に応じて、任意に設定することができる。
【００２９】  トロンメル２４の受槽内に収容された粒径が２ｍｍ未満の土壌粒子と洗浄水とを含む土壌・洗浄水混合物はサイクロン２５（液体サイクロン）に導入される。サイクロン２５は、土壌・洗浄水混合物を、比較的粒径が小さい細粒土（例えば０．０７５ｍｍ未満）と洗浄水の混合物と、比較的粒径が大きい土壌粒子（例えば０．０７５ｍｍ以上）とに分離する。そして、細粒土と洗浄水の混合物（以下「細粒土含有水」という。）はサイクロン２５の上端部から排出され、比較的粒径が大きい土壌粒子はサイクロン２５の下端部から排出される。細粒土含有水に含まれる細粒土は、例えばその粒径が０．０７５ｍｍ未満のシルト又は粘土である。なお、サイクロン２５は、図１中の第２分級装置１３に相当する。
【００３０】  他方、サイクロン２５の下端部から排出された比較的粒径が大きい土壌粒子はサンドクリーン２６（すすぎ洗浄装置）に導入される。この比較的粒径が大きい土壌粒子は、例えばその粒径が０．０７５〜２ｍｍの砂である。サンドクリーン２６は、所定の圧力及び水量で洗浄水を流動させて、比較的粒径が大きい土壌粒子すなわち砂にすすぎ洗浄処理を施すとともに、残留している浮遊物ないしは異物を除去する。すすぎ洗浄処理が施された比較的粒径が大きい土壌粒子すなわち砂は、砂すすぎ装置１７（図１、図５参照）に移送され、付着しているキレート剤が除去される。この砂は再生砂として使用され、あるいは販売される。
【００３１】  サイクロン２５から排出された細粒土含有水はＰＨ調整槽２７に導入される。また、サンドクリーン２６から排出された洗浄水もＰＨ調整槽２７に導入され、細粒土含有水に混合される。そして、ＰＨ調整槽２７では、細粒土含有水のｐＨ（水素指数）が、ｐＨ調整剤、例えば酸性液（例えば、硫酸、塩酸等）及びアルカリ性液（例えば、水酸化ナトリウム水溶液等）を用いて、ほぼ中性又は所定のｐＨ（例えば、ｐＨ７〜８）となるように調整される。
【００３２】  ＰＨ調整槽２７でｐＨが調整された細粒土含有水は凝集槽２８に導入される。凝集槽２８では、細粒土含有水にポリ塩化アルミニウム液（ＰＡＣ）と、高分子凝集剤と、ｐＨ調整剤（酸性液又はアルカリ性液）とが添加される。これにより、凝集槽２８内に非水溶性の金属水酸化物と細粒土とが混在する多数のフロックが生成される。その際、洗浄水中の水質汚濁物質がフロックに吸着され又はフロックに付着する。なお、ポリ塩化アルミニウム液及び高分子凝集剤を、凝集槽２８ではなく、ＰＨ調整２７で細粒土含有水に添加してもよい。
【００３３】  凝集槽２８内の細粒土含有水は、浮遊物回収装置２９により浮遊物が除去された後、シックナ３０に導入される。シックナ３０は、細粒土含有水がほぼ静止している状態で非水溶性のフロックないしは細粒土を重力により沈降させ、下部に位置するスラッジ層（固形分の比率：５〜１０％）と、上部に位置しほとんどフロックないしは細粒土を含まない上澄水（洗浄水）とを形成する。上澄水の表面に浮遊している浮上油は、少量の上澄水をシックナ３０の上部から溢流させることにより除去される。なお、シックナ３０は、図１中の沈降分離装置１４に相当する。
【００３４】  シックナ３０の下部に滞留ないしは沈殿しているスラッジは、スラッジポンプ等により引き抜かれて中間タンク３１に移送され、中間タンク３１内に一時的に貯留される。そして、中間タンク３１内のスラッジは、間欠的に又は連続的に、フィルタプレス３２に移送される。フィルタプレス３２は、中間タンク３１から受け入れたスラッジを加圧濾過し、濾過ケークと濾液とを生成する。フィルタプレス３２の濾過圧力は、例えば濾過ケークの含水率が３０〜４０％となるように設定される。フィルタプレス３２の濾液はシックナ３０に戻される。フィルタプレス３２から排出された濾過ケークすなわち細粒土は、再利用し、又は販売することができる。なお、フィルタプレス３２は、図１中の濾過装置１５に相当する。
【００３５】  他方、シックナ３０内の上澄水（洗浄水）は、洗浄水槽３３に導入され貯留される。洗浄水槽３３が満杯になったときには予備水槽３４が使用される。洗浄水槽３３に貯留されている洗浄水はキレート剤再生部３（図１、図３参照）に導入される。なお、洗浄水槽３３に貯留されている洗浄水が蒸発等により減少したときには、適宜に洗浄水槽３３に水道水、工業用水等が補給される。
【００３６】  以下、図３を参照しつつキレート剤再生部３の具体的な構成及び機能を説明する。キレート剤再生部３には、キレート剤ないしは洗浄水を再生する手段として、その内部に固相吸着材粒子、又は固相吸着材が固定された充填物（パッキング）が充填された充填塔形式のキレート剤再生装置４１が設けられている。また、キレート剤再生部３には、再生された洗浄水を貯留する再生洗浄水貯槽４３と、酸液を貯留する酸液貯槽４４と、水を貯留する水貯槽４５とが設けられている。
【００３７】  そして、キレート剤ないしは洗浄水を再生するときに、洗浄水槽３３に貯留された洗浄水をキレート剤再生装置４１に移送する一方、キレート剤再生装置４１で再生された洗浄水を再生洗浄水貯槽４３に移送するためのポンプ４６及び一連の複数の管路４７〜５０が設けられている。さらに、再生洗浄水貯槽４３に貯留された洗浄水を、すすぎ水生成部４の逆浸透膜分離装置１１０（図７参照）に供給するためのポンプ５１及び管路５２が設けられている。
【００３８】  さらに、キレート剤再生部３には、固相吸着材を再生する際に酸液貯槽４４に貯留された酸液をキレート剤再生装置４１に移送する一方、キレート剤再生装置４１から排出された酸液を酸液貯槽４４に戻すためのポンプ５３及び複数の管路５４、５５が設けられている。また、キレート剤再生部３には、酸液で再生された固相吸着材を水洗する際に、水貯槽４５に貯留された水をキレート剤再生装置４１に移送する一方、キレート剤再生装置４１から排出された水を水貯槽４５に戻すためのポンプ５６及び複数の管路５７、５８が設けられている。
【００３９】  キレート剤再生装置４１に洗浄水、酸液又は水を移送するための管路４７、４８、５４、５７には、それぞれ、対応する管路を開閉するバルブ６１、６２、６３、６４が介設されている。他方、キレート剤再生装置４１から洗浄水、酸液又は水を排出するための管路４９、５０、５５、５８には、それぞれ、対応する管路を開閉するバルブ６５、６６、６７、６８が介設されている。これらのバルブ６１〜６８の開閉状態を切り換えることにより、キレート再生装置４１に対して、洗浄水、酸液又は水のいずれかを給排することができる。なお、これらのバルブ６１〜６８の開閉は、図示していないコントローラによって自動的に制御される。
【００４０】  以下、キレート剤再生部３の運転手法の一例を説明する。なお、以下で説明する運転手法は単なる例示であって、本発明に係るキレート剤再生部３の運転手法が以下のものに限定されるものではないのはもちろんである。キレート剤ないしは洗浄水を再生する際には、管路４７〜５０に介設されたバルブ６１、６２、６５、６６が開かれる一方、他のバルブ６３、６４、６７、６８が閉じられ、ポンプ４６が運転される。これにより、洗浄水槽３３内の洗浄水が、キレート剤再生装置４１内を流通して再生洗浄水貯槽４３に移送される。
【００４１】  かくして、キレート剤再生装置４１内では、有害金属等を捕捉しているキレート剤を含む洗浄水が、キレート剤より錯生成力が高い固相吸着材（固相吸着材粒子）と接触させられる。その結果、キレート剤に捕捉されている有害金属等がキレート剤から離脱させられ、固相吸着材に吸着ないしは抽出される。これにより、洗浄水から有害金属等が除去・回収される一方、キレート剤は再び有害金属等を捕捉することができる状態となり、洗浄水が再生される。再生洗浄水貯槽４３に貯留された洗浄水は、ポンプ５１により管路５２を介してすすぎ水生成部４（図１参照）ないしは逆浸透膜分離装置１１０（図７参照）に供給される。
【００４２】  キレート剤より錯生成力が高い固相吸着材は、例えばゲル等の固体状のものであり、一般に、金属を捕捉しているキレート剤を含む水溶液と接触したときに、キレート剤と配位結合している金属イオンをキレート剤から離脱させて該固相吸着材に移動させることができる程度の共有結合以外の強い結合力を有しているものである。このような固相吸着材としては、例えばシリカゲルや樹脂等の担体に環状分子を密に担持させ、この環状分子にキレート配位子を修飾させたものなどが挙げられる。このような固相吸着材を用いる場合、隣り合う環状分子及びキレート配位子により、配位結合、水素結合などの複数の様々な結合や相互作用が生じて多点相互作用が生じ、金属イオンに対してキレート剤よりも強い化学結合が生じるとともに環状分子の性状により金属イオンを選択的に取り込むことができる。
【００４３】  このような洗浄水の再生に伴って、固相吸着材における有害金属等の吸着量は経時的に増加してゆくが、固相吸着材の吸着能力には上限がある。このため、固相吸着材における有害金属等の吸着量が飽和状態ないしはその近傍に達したときに、固相吸着材は再生される。すなわち、洗浄水が排除された状態でキレート剤再生装置４１内に酸液（例えば、希硝酸、希硫酸等）を流し、固相吸着材に吸着された有害金属等を酸液により除去して固相吸着材を再生する。かくして、有害金属等が酸液によって回収される一方、固相吸着材は再生されて再び有害金属等ないしはこれらのイオンを吸着又は抽出することが可能な状態となる。なお、固相吸着材は、酸液によって再生された後に水洗され、固相吸着材に付着している微量の酸液が除去される。
【００４４】  キレート剤再生装置４１内の固相吸着材の有害金属等の吸着量が飽和状態ないしはその近傍に達して固相吸着材を酸液で再生する際には、管路５４、４８、４９、５５に介設されたバルブ６３、６２、６５、６７が開かれる一方、他のバルブ６１、６４、６６、６８が閉じられ、ポンプ５３が運転される。これにより、酸液貯槽４４内の酸液が、キレート剤再生装置４１内を流通して酸液貯槽４４に還流する。固相吸着材の再生操作を開始する前には、キレート剤再生装置４１内の洗浄水は排除される。なお、複数のキレート剤再生装置４１を並列に配設すれば、一部のキレート剤再生装置４１への洗浄水の供給が停止されているときでも、洗浄水を連続的に再生することができる。固相吸着材の有害金属吸着量が飽和状態ないしはその近傍に達したか否かは、キレート剤再生装置４１から排出された洗浄水中の有害金属等の含有量を検出することにより判定することができる。
【００４５】  キレート剤再生装置４１内に酸液を流す時間は、キレート剤再生装置４１の寸法ないしは形状、固相吸着材粒子の寸法等に応じて好ましく設定される。酸液は、酸液貯槽４４とキレート剤再生装置４１との間を循環して流れる。その際、キレート剤再生装置４１内の固相吸着材は酸液と接触し、固相吸着材に吸着されている有害金属等が酸液中に離脱させられる。すなわち、有害金属等が酸液によって回収される一方、固相吸着材は再生されて再び有害金属等を吸着することが可能な状態となる。
【００４６】  酸液による固相吸着材の再生が終了した後に固相吸着材を水洗する際には、管路５７、４８、４９、５８に介設されたバルブ６４、６２、６５、６８が開かれる一方、他のバルブ６１、６３、６６、６７が閉じられ、ポンプ５６が運転される。これにより、水貯槽４５内の水が、キレート剤再生装置４１内を流通して水貯槽４５に還流する。このような固相吸着材の水洗操作を開始する前には、キレート剤再生装置４１内の酸液は排除される。水は、水貯槽４５とキレート剤再生装置４１との間を循環して流れる。その際、キレート剤再生装置４１内の固相吸着材は水と接触し、固相吸着材に付着している酸液が洗浄される。この後、洗浄水の再生が再開される。
【００４７】  以下、図４〜図６を参照しつつ、キレート剤回収部４の具体的な構成及び機能を説明する。
図４に示すように、キレート剤回収部４の一部をなす礫すすぎ装置１６は、ベルトコンベア７４と、礫供給装置７５と、すすぎ水散布装置７６と、洗浄廃水受槽７７とを備えている。
【００４８】  ベルトコンベア７４は、電動機（図示せず）によって回転駆動されるシャフト７８ａに同軸に取り付けられた略円柱形の駆動ローラ７８と、駆動源には接続されていないシャフト７９ａに同軸に取り付けられた略円柱形の従動ローラ７９と、駆動ローラ７８と従動ローラ７９とに巻き掛けられた輪状ないしは無端（エンドレス）の搬送ベルト８０と、搬送ベルト８０を支持ないしは案内する多数の支持ローラ８１と、ベルトコンベア７４から排出される礫を案内する案内板８２とを備えている。礫すすぎ装置１６は、土壌洗浄分級部２の一部をなすトロンメル２４（図２参照）から排出された礫に、すすぎ水を散布又は噴射して、礫に保持され又は付着しているキレート剤を洗い流して除去する。
【００４９】  駆動ローラ７８と従動ローラ７９とは、その直径が同一であり、同一の高さの位置に配置されている。搬送ベルト８０は、すすぎ水は通過させるが礫は通過させない輪状に湾曲させることが可能な多孔性材料、メッシュ状材料、繊維状材料ないしは布状材料で形成されている。すすぎ水散布装置７６は、搬送ベルト８０の移動方向に関して所定の長さ（例えば、１〜２ｍ）の領域において、搬送ベルト８０によって搬送されている礫にすすぎ水を散布する。すすぎ水散布装置７６からのすすぎ水の散布量は、礫に付着している洗浄水をほぼ全部洗い流すことができるように好ましく設定される。例えば、礫に付着している洗浄水の量の２〜３倍の量のすすぎ水が散布される。具体例としては、例えば含水比が１５％の礫を１時間あたり２０トン（乾燥基準）で搬送する場合は、１時間あたり６〜９トンのすすぎ水を散布することになる。
【００５０】  礫供給装置７５は、トロンメル２４（図２参照）から排出された礫を、従動ローラ７９の近傍で搬送ベルト８０の上に所定の流量で供給する。このように供給された礫は、搬送ベルト８０によって搬送され、駆動ローラ７８に対応する位置で案内板８２を経由して下方に落下し、礫貯蔵場（図示せず）に貯蔵される。搬送ベルト８０によって搬送されている礫には、すすぎ水散布装置７６からすすぎ水が散布され、すすぎ水は礫の粒子の間隙を通って下方に移動し、搬送ベルト８０を通過して洗浄廃水受槽７７に流下する。
【００５１】  その際、礫に付着しているキレート剤を含む洗浄水は、すすぎ水によって下方に洗い流され、洗浄廃水受槽７７に落下ないしは流入するが、すすぎ水の一部は礫の粒子の間隙に保持される。すなわち、礫に保持され又は付着していたキレート剤を含む洗浄水は、キレート剤を含まないすすぎ水と置換される。つまり、礫に含まれ又は付着しているキレート剤は、すすぎ水によって洗い流され、すすぎ水の一部とともに洗浄廃水受槽７７に収容される。なお、洗浄廃水受槽７７に収容されたキレート剤を含む洗浄廃水は、洗浄廃水槽８３（図７参照）に導入される。かくして、礫貯蔵場（図示せず）にはキレート剤及び汚染物質をほとんど含まない清浄な礫が貯蔵される。
【００５２】  図５に示すように、キレート剤回収部４の一部をなす砂すすぎ装置１７は、ベルトコンベア８４と、砂供給装置８５と、すすぎ水散布装置８６と、洗浄廃水受槽８７とを備えている。ここで、ベルトコンベア８４は、電動機（図示せず）によって回転駆動されるシャフト８８ａに同軸に取り付けられた略円柱形の駆動ローラ８８と、駆動源には接続されていないシャフト８９ａに同軸に取り付けられた略円柱形の従動ローラ８９と、駆動ローラ８８と従動ローラ８９とに巻き掛けられた輪状ないしは無端（エンドレス）の搬送ベルト９０と、搬送ベルト９０を支持ないしは案内する多数の支持ローラ９１と、ベルトコンベア８４から排出される砂を案内する案内板９２とを備えている。この砂すすぎ装置１７は、土壌洗浄分級部２の一部をなすサンドクリーン２６（図２参照）から排出された砂に、すすぎ水を散布又は噴射して、該砂に保持され又は付着しているキレート剤を洗い流して除去する。
【００５３】  駆動ローラ８８と従動ローラ８９とは、その直径が同一であり、同一の高さの位置に配置されている。搬送ベルト９０は、すすぎ水は通過させるが砂の粒子は通過させない輪状に湾曲させることが可能な多孔性材料、メッシュ状材料、繊維状材料ないしは布状材料で形成されている。すすぎ水散布装置８６は、搬送ベルト９０の移動方向に関して所定の長さ（例えば、１〜２ｍ）の領域において、搬送ベルト９０によって搬送されている砂にすすぎ水を散布する。すすぎ水散布装置８６からのすすぎ水の散布量は、砂に付着している洗浄水をほぼ全部洗い流すことができるように好ましく設定される。例えば、砂に付着している洗浄水の量の２〜３倍の量のすすぎ水が散布される。具体例としては、例えば含水比が２０％の砂を１時間あたり３５トン（乾燥基準）で搬送する場合は、１時間あたり１４〜２１トンのすすぎ水を散布することになる。
【００５４】  砂供給装置８５は、サンドクリーン２６から排出された砂を、従動ローラ８９の近傍で搬送ベルト９０の上に所定の流量で供給する。このように供給された砂は、搬送ベルト９０によって搬送され、駆動ローラ８８に対応する位置で案内板９２を経由して下方に落下し、砂貯蔵場（図示せず）に貯蔵される。搬送ベルト９０によって搬送されている砂には、すすぎ水散布装置８６からすすぎ水が散布され、すすぎ水は砂の粒子の間隙を通って下方に移動し、搬送ベルト９０を通過して洗浄廃水受槽８７に流下する。
【００５５】  その際、砂に付着していたキレート剤を含む洗浄水は、すすぎ水によって下方に洗い流され、洗浄廃水受槽８７に落下ないしは流入するが、すすぎ水の一部は砂の粒子の間隙に保持される。すなわち、砂に保持され又は付着していたキレート剤を含む洗浄水は、キレート剤を含まないすすぎ水と置換される。つまり、砂に含まれ又は付着しているキレート剤は、すすぎ水によって洗い流され、すすぎ水の一部とともに洗浄廃水受槽８７に収容される。なお、洗浄廃水受槽８７に収容されたキレート剤を含む洗浄廃水は、洗浄廃水槽８３（図７参照）に導入される。かくして、砂貯蔵場（図示せず）にはキレート剤及び汚染物質をほとんど含まない清浄な砂が貯蔵される。
【００５６】  図６に示すように、キレート剤回収部４の一部をなす細粒土すすぎ装置１８は、解砕機９３と解砕土洗浄機９４とを備えている。解砕機９３は、フィルタプレス３２（図２参照）から排出された濾過ケーク（細粒土）を解砕して粒状又は粉状の解砕土（細粒土）を生成する。解砕土洗浄機９４は、解砕機９３によって生成された解砕土にすすぎ水を散布又は噴射して、該解砕土に保持されているキレート剤を除去（回収）する。
【００５７】  解砕機９３は、フィルタプレス３２（図２参照）から排出された濾過ケークを、高速回転するブレード９５によって、例えば粒径が数ｍｍ（例えば、１〜３ｍｍ）の多数の濾過ケーク細片に解砕する。なお、このように濾過ケークを解砕する解砕機９３としては、例えば大平洋機工株式会社に係る「脱水ケーキ解砕機」あるいは株式会社氣工社に係る「脱水ケーキリサイクル装置」などを用いることができる。
【００５８】  解砕土洗浄機９４は、ベルトコンベア９６と、解砕土受入部９７と、すすぎ水散布装置９８と、洗浄廃水受槽９９とを備えている。ここで、ベルトコンベア９６は、電動機（図示せず）によって回転駆動されるシャフト１００ａに同軸に取り付けられた略円柱形の駆動ローラ１００と、駆動源には接続されていないシャフト１０１ａに同軸に取り付けられた略円柱形の従動ローラ１０１と、駆動ローラ１００と従動ローラ１０１とに巻き掛けられた輪状ないしは無端（エンドレス）の搬送ベルト１０２と、搬送ベルト１０２を支持ないしは案内する多数の支持ローラ１０３と、ベルトコンベア９６から排出される解砕土を案内する案内板１０４とを備えている。
【００５９】  駆動ローラ１００と従動ローラ１０１とは、その直径が同一であり、同一の高さの位置に配置されている。搬送ベルト１０２は、すすぎ水は通過させるが解砕土の粒子は通過させない輪状に湾曲させることが可能な多孔性材料、メッシュ状材料、繊維状材料又は布状材料で形成されている。すすぎ水散布装置９８は、搬送ベルト１０２の移動方向に関して所定の長さ（例えば、１〜２ｍ）の領域において、搬送ベルト１０２によって搬送されている解砕土にすすぎ水を散布する。すすぎ水散布装置９８からのすすぎ水の散布量は、解砕土に付着している洗浄水をほぼ全部洗い流すことができるように好ましく設定される。例えば、解砕土に付着している洗浄水の量の２〜３倍の量のすすぎ水が散布される。具体例としては、例えば含水比が４０％の解砕土を１時間あたり２５トン（乾燥基準）で搬送する場合は、１時間あたり２０〜３０トンのすすぎ水を散布することになる。
【００６０】  解砕土受入部９７は、解砕機９３から排出された解砕土を、従動ローラ１０１の近傍で搬送ベルト１０２の上に所定の流量で供給する。このように供給された解砕土は、搬送ベルト１０２によって搬送され、駆動ローラ１００に対応する位置で案内板１０４を経由して下方に落下し、細粒土貯蔵所（図示せず）に貯蔵される。搬送ベルト１０２によって搬送されている解砕土には、すすぎ水散布装置９８からすすぎ水が散布され、すすぎ水は解砕土の粒子の間隙を通って下方に移動し、搬送ベルト１０２を通過して洗浄廃水受槽９９に流下する。
【００６１】  その際、解砕土に付着していたキレート剤を含む洗浄水は、すすぎ水によって下方に洗い流され、洗浄廃水受槽９９に流下する。ここで、すすぎ水の一部は、解砕土の粒子の間隙に保持される。すなわち、解砕土に保持され又は付着していたキレート剤を含む洗浄水は、すすぎ水と置換される。つまり、解砕土に含まれ又は付着しているキレート剤は、すすぎ水によって洗い流され、すすぎ水（一部）とともに洗浄廃水受槽９９に収容される。なお、洗浄廃水受槽９９に収容されたキレート剤を含む洗浄廃水は、洗浄廃水槽８３（図７参照）に導入される。かくして、細粒土貯蔵所（図示せず）にはキレート剤を含まない細粒土が貯蔵される。
【００６２】  以下、図７を参照しつつ、すすぎ水生成部５、洗浄水生成部（混合槽１１１等）及び洗浄水供給部（ポンプ１１２及び管路１１３等）の構成及び機能を説明する。すすぎ水生成部５は逆浸透膜分離装置１１０を有する。この逆浸透膜分離装置１１０へは、再生洗浄水貯槽４３内の洗浄水が、ポンプ５１及び管路５２により導入される。この実施形態では、逆浸透膜分離装置１１０は、キレート剤再生部３から排出された洗浄水をすべて受け入れ、付設された高圧ポンプ（図示せず）で加圧した上で（例えば０．５〜１．５ＭＰａ）逆浸透膜により、キレート剤が濃縮された濃縮水と、キレート剤を含まない透過水とを生成する。すなわち、逆浸透膜分離装置１１０は、洗浄水を、キレート剤がある程度濃縮された濃縮水と、キレート剤を含まない透過水とに分離する。そして、濃縮水は、管路１０９を経由して、洗浄水生成部の一部をなす混合槽１１１に導入される。
【００６３】  他方、逆浸透膜分離装置１１０から排出された透過水は、すすぎ水としてキレート剤回収部４に供給される。具体的には、透過水は、詳しくは図示していないがポンプ及び管路を介して、礫すすぎ装置１６のすすぎ水散布装置７６と、砂すすぎ装置１７のすすぎ水散布装置８６と、細粒土すすぎ装置１８のすすぎ水散布装置９８とにすすぎ水として供給される。キレート剤回収部４から排出された洗浄廃水は洗浄廃水槽８３に導入され、一時的に貯留される。キレート剤回収部４では、礫、砂又は細粒土が、これらに付着しあるいは保持されている洗浄水の２〜３倍のすすぎ水で洗浄されるので、洗浄廃水のキレート剤濃度は、洗浄水のキレート剤濃度に比べてかなり低くなる（おおむね１／２〜１／３）。
【００６４】  逆浸透膜分離装置１１０における、洗浄水に対する濃縮水のキレート剤の濃縮度合は、逆浸透膜分離装置１１０に供給される洗浄水の流量と、逆浸透膜分離装置１１０によって生成される透過水（ないしは濃縮水）の流量とによって一義的に決まる。例えば、洗浄水の流量が４５０ｍ３／ｈｒであり、透過水の流量が６０ｍ３／ｈｒ（濃縮水の流量は３９０ｍ３／ｈｒ）である場合（図９参照）、濃縮水のキレート剤の濃縮度合は１．１５倍（４５０／３９０＝１．１５）となる。このように濃縮水のキレート剤の濃縮度合が非常に小さいので、逆浸透膜の水透過速度が比較的大きくなる。このため、逆浸透膜の面積を比較的小さくすることができ、あるいは洗浄水の供給圧を比較的低くすることができる。
【００６５】  逆浸透膜分離装置１１０の逆浸透膜としては、例えばポリエステル不織布（厚さ１００〜１２０μｍ）の表面に、ポリスルホン支持層と架橋芳香族ポリアミド緻密層とが積層されてなる三層構造のものなどを用いることができる。なお、架橋芳香族ポリアミド緻密層は、孔径がおおむね０．５〜１．５ｎｍである多数の細孔を有し、水は透過させるがキレート剤は透過させない非常に薄い（例えば、０．２〜０．２５μｍ）半透膜である。また、ポリスルホン支持層は、非常に薄い架橋芳香族ポリアミド緻密層を支持ないしは保護してその破損を防止するための比較的厚い（例えば、４０〜５０μｍ）多孔質膜である。
【００６６】  逆浸透膜分離装置１１０はスパイラル型のものであり、スパイラル状に巻かれた逆浸透膜が円筒状の容器内に収容されてなる逆浸透膜エレメントを複数有している。各逆浸透膜エレメントは、例えば全長を１〜２ｍ程度とし、外径を０．２〜０．４ｍ程度とするのが実用的である。例えば、全長が約１ｍであり、外径が約０．２ｍである市販のこの種の逆浸透膜エレメント（例えば、岐阜県中津川市の株式会社オーセンテック製）における逆浸透膜の有効膜面積は約４０ｍ２である。この逆浸透膜エレメントの場合、キレート剤濃度が１質量％程度の洗浄水を１ＭＰａ程度の圧力で供給し、濃縮水のキレート剤の濃縮度合を１．１〜１．２に設定したときの透過水生成量は約１．５ｍ３／ｈｒと推定される。したがって、前記の条件で例えば毎時６０ｍ３の透過水を生成する場合は、この逆浸透膜エレメントを４０本並列に接続すればよい。逆浸透膜エレメントを多段（例えば、８列５段）で横置きに配置した場合、その設置に要する敷地の面積は１０〜２０ｍ２程度である。
【００６７】  洗浄水生成部を構成する混合槽１１１へは、洗浄廃水槽８３内の洗浄廃水が、ポンプ１１６及び管路１１７により導入される一方、逆浸透膜分離装置１１０から排出された濃縮水が管路１０９を経由して導入される。そして、洗浄廃水と濃縮水とが混合槽１１１内で混合されて洗浄水が生成される。混合槽１１１内の洗浄水は、洗浄水供給部を構成するポンプ１１２及び管路１１３により、土壌洗浄分級部２を構成する混合器２２とトロンメル２４とサンドクリーン２６とに供給（返送）される。なお、何らかの事情で洗浄水のキレート剤濃度を高める必要が生じたときには、キレート剤補充部６から混合槽１１１にキレート剤が供給（補充）される。
【００６８】  この土壌浄化システム１では、キレート剤回収部４から排出された洗浄廃水と逆浸透膜分離装置１１０から排出された濃縮水とがすべて混合槽１１１に導入されて洗浄水が生成され、この洗浄水が土壌洗浄分級部２に供給（返送）されるので、土壌浄化システム外には水及びキレート剤は一切排出されない。また、前記のとおり、洗浄水に対する濃縮水のキレート剤の濃縮度合が非常に小さいので、逆浸透膜の水透過速度が比較的大きくなり、その分逆浸透膜分離装置１１０の高圧ポンプの吐出圧を低くすることができ、あるいは逆浸透膜の総表面積を小さくすることができる。ここで、逆浸透膜分離装置１１０、混合槽１１１等の設置にはさほど広い敷地を必要としない。
【００６９】  前記のとおり、土壌浄化システム１は、洗浄水を循環使用して、土壌浄化システム外には廃水を排出しない完全クローズドシステムである。また、土壌浄化システム１では、洗浄水に含まれるキレート剤は、土壌浄化システム外には排出されず、再生しつつ繰り返し使用される。このため、土壌浄化システム１のランニングコストを非常に低くすることができる。
【００７０】  図８に、土壌洗浄分級部２において、例えば１．０質量％のキレート剤を含む洗浄水で、１時間あたり１００トンの土壌を洗浄・分級する場合における、土壌浄化システム１の要所における土壌、水及びキレート剤の流量の一例を示す。この例では、土壌洗浄分級部２に供給される洗浄水の総流量は４５０ｍ３／ｈｒであり、１００トンの土壌は、２０トンの礫と、３５トンの砂と、２５トンの細粒土と、２０トンの水とを含み、その含水比は２５％である。また、トロンメル２４から排出される礫の含水比は１５％であり、サンドクリーン２６から排出される砂の含水比は２０％であり、フィルタプレス３２から排出される細粒土（濾過ケーク）の含水比は４０％である。図８から明らかなとおり、この例では、礫、砂及び細粒土によって、１時間あたり０．２トンのキレート剤が、土壌洗浄分級部２から持ち去られる。しかし、これらのキレート剤は、キレート剤回収部４で回収され、混合槽１１１を経由して土壌洗浄分級部２に返送され、土壌浄化システム外には排出されない。
【００７１】  図９に、図８の場合におけるキレート剤回収部４、すすぎ水生成部５等における洗浄水、すすぎ水、洗浄廃水、キレート剤等の流量及びキレート剤濃度の一例を示す。この例では、１ＭＰａ程度の圧力でもって４５０ｍ３／ｈｒで供給される洗浄水から６０ｍ３／ｈｒの透過水を生成するように設定している。逆浸透膜分離装置１１０の逆浸透膜の総有効膜面積は約１６００ｍ２である。したがって、例えば各逆浸透膜の有効膜面積が約４０ｍ２である前記の逆浸透膜エレメント（長さ約１ｍ、外径約０．２ｍ）を４０本並列に接続して用いればよい。図９から明らかなとおり、礫、砂及び細粒土によって土壌洗浄分級部２から持ち去られたキレート剤（１時間あたり０．２トン）はすべて土壌洗浄分級部２に返送されている。
【００７２】  以上、本発明に係る土壌浄化システム１によれば、土壌洗浄分級部２から排出された礫、砂及び／又は細粒土は、キレート剤回収部４で逆浸透膜分離装置１１０の透過水（すすぎ水）で洗浄され、礫、砂及び／又は細粒土に付着しているキレート剤が除去される。したがって、キレート剤を含まない高品質の礫、砂及び／又は細粒土を得ることができる。そして、キレート剤回収部４において礫、砂及び／又は細粒土の洗浄により生じたキレート剤を含む洗浄廃水は、土壌洗浄分級部２に返送され、土壌浄化システム外には排出されないので、キレート剤の逸失を確実に防止することができる。
【００７３】  一方、逆浸透膜分離装置１１０の設置面積は非常に小さく、またキレート剤回収部４で発生する洗浄廃水を、逆浸透膜分離装置１１０から排出される濃縮水と混合して土壌洗浄分級部２に返送するための設備の設置面積も非常に小さい。したがって、キレート剤の回収設備の設置にさほど広い敷地を必要としない。よって、礫、砂及び／又は細粒土によってキレート剤が土壌浄化システム外に持ち去られるのを防止することができ、かつキレート剤回収のための設備の敷地面積を非常に小さくすることができる。
【符号の説明】
【００７４】  １  土壌浄化システム、２  土壌洗浄分級部、３  キレート剤再生部、４  キレート剤回収部、５  すすぎ水生成部、６  キレート剤補充部、１１  混合装置、１２  第１分級装置、１３  第２分級装置、１４  沈降分離装置、１５  濾過装置、１６  礫すすぎ装置、１７  砂すすぎ装置、１８  細粒土すすぎ装置、２１  投入ホッパ、２２  混合器、２３  ミルブレーカ、２４  トロンメル、２５  サイクロン、２６  サンドクリーン、２７  ＰＨ調整槽、２８  凝集槽、２９  浮遊物回収装置、３０  シックナ、３１  中間タンク、３２  フィルタプレス、３３  洗浄水槽、３４  予備水槽、４１  キレート剤再生装置、４３  再生洗浄水貯槽、４４  酸液貯槽、４５  水貯槽、４６  ポンプ、４７〜５０  管路、５１  ポンプ、５２  管路、５３  ポンプ、５４  管路、５５  管路、５６  ポンプ、５７  管路、５８  管路、６１〜６８  バルブ、７４  ベルトコンベア、７５  礫供給装置、７６  すすぎ水散布装置、７７  洗浄廃水受槽、７８  駆動ローラ、７８ａ  シャフト、７９  従動ローラ、７９ａ  シャフト、８０  搬送ベルト、８１  支持ローラ、８２  案内板、８３  洗浄廃水槽、８４  ベルトコンベア、８５  砂供給装置、８６  すすぎ水散布装置、８７  洗浄廃水受槽、８８  駆動ローラ、８８ａ  シャフト、８９  従動ローラ、８９ａ  シャフト、９０  搬送ベルト、９１  支持ローラ、９２  案内板、９３  解砕機、９４  解砕土洗浄機、９５  ブレード、９６  ベルトコンベア、９７  解砕土受入部、９８  すすぎ水散布装置、９９  洗浄廃水受槽、１００  駆動ローラ、１００ａ  シャフト、１０１  従動ローラ、１０１ａ  シャフト、１０２  搬送ベルト、１０３  支持ローラ、１０４  案内板、１０９  管路、１１０  逆浸透膜分離装置、１１１  混合槽、１１２  ポンプ、１１３  管路、１１６  ポンプ、１１７  管路。
【図１】
2019103996.tif 000003
【図２】
2019103996.tif 000004
【図３】
2019103996.tif 000005
【図４】
2019103996.tif 000006
【図５】
2019103996.tif 000007
【図６】
2019103996.tif 000008
【図７】
2019103996.tif 000009
【図８】
2019103996.tif 000010
【図９】
2019103996.tif 000011